(57)【要約】  インク送達システムのためのインクフィルタ。インクフィルタは、フィルタ入口ポートと、フィルタ出口ポートと、ベントポートとを有するフィルタチャンバであって、ベントポートがフィルタチャンバの屋根に位置付けられている、フィルタチャンバと、フィルタ入口ポートとフィルタ出口ポートとの間に位置付けられたフィルタ材と、ベントポートに接続された閉じたベントチャンバとを含む。ベントチャンバは、空気透過性ポリマーから形成された、大気に露出された壁を有する。【選択図】図１
2020526420.tif 000002
【特許請求の範囲】
【請求項１】
インク送達システムのためのインクフィルタにおいて、
フィルタ入口ポートと、フィルタ出口ポートと、ベントポートとを有するフィルタチャンバであって、前記ベントポートが前記フィルタチャンバの屋根に位置付けられている、フィルタチャンバと、
前記フィルタ入口ポートと前記フィルタ出口ポートとの間に位置付けられたフィルタ材と、
前記ベントポートに接続された閉じたベントチャンバと
を備え、
前記ベントチャンバが、空気透過性ポリマーからなる、大気に露出された少なくとも１つの壁を有する
ことを特徴とするインクフィルタ。
【請求項２】
請求項１に記載のインクフィルタにおいて、
前記ベントチャンバが、前記ベントポートに接続された一端と、覆われた反対端とを有する空気透過性ポリマーチューブからなる
ことを特徴とするインクフィルタ。
【請求項３】
請求項１に記載のインクフィルタにおいて、
前記ポリマーチューブが、前記ベントポートから略上方へ延在し、前記ベントチャンバの側壁を画定する
ことを特徴とするインクフィルタ。
【請求項４】
請求項１に記載のインクフィルタにおいて、
前記ベントポートが、前記フィルタチャンバにおいて未濾過のインクから気泡を除去するために位置付けられている
ことを特徴とするインクフィルタ。
【請求項５】
請求項１に記載のインクフィルタにおいて、
前記空気透過性ポリマーが、５〜５０Ｂａｒｒｅｒ（１６．７４〜１６７．４×１０−１９ｋｍｏｌ  ｍ／（ｍ２  ｓ  Ｐａ））の酸素透過性を有する
ことを特徴とするインクフィルタ。
【請求項６】
請求項１に記載のインクフィルタにおいて、
前記ベントチャンバが、拡散チューブを介して前記ベントポートに接続されている
ことを特徴とするインクフィルタ。
【請求項７】
請求項６に記載のインクフィルタにおいて、
前記拡散チューブが空気不透過性の側壁を有する
ことを特徴とするインクフィルタ。
【請求項８】
請求項６に記載のインクフィルタにおいて、
前記拡散チューブが１〜１０ｃｍの長さを有する
ことを特徴とするインクフィルタ。
【請求項９】
請求項１に記載のインクフィルタにおいて、
ベントチャンバが、前記インクフィルタを組み込むプリンタの寿命の大部分の時間にわたって、正の静圧でインクを含む
ことを特徴とするインクフィルタ。
【請求項１０】
請求項９に記載のインクフィルタにおいて、
前記ベントチャンバが、前記インクフィルタを組み込む前記プリンタのアイドル期間中、正の静圧でインクを含む
ことを特徴とするインクフィルタ。
【請求項１１】
インクジェットプリンタにおいて、
所定のインクレベルを有するインクを含むインクタンクと、
前記所定のインクレベルより下に位置付けられたインクフィルタと、
前記所定のインクレベルより上に位置付けられたインクジェット印刷ヘッドと
を備え、
前記インクフィルタが、
前記インクタンクからインクを受け取るためのフィルタ入口ポートと、前記印刷ヘッドにインクを送達するためのフィルタ出口ポートと、ベントポートとを有するフィルタチャンバであって、前記ベントポートが前記フィルタチャンバの屋根に位置付けられている、フィルタチャンバと、
前記フィルタ入口ポートと前記フィルタ出口ポートとの間に位置付けられたフィルタ材と、
前記ベントポートに接続された閉じたベントチャンバと
を備え、
前記ベントチャンバが、空気透過性ポリマーからなる、大気に露出された少なくとも１つの壁を有する
ことを特徴とするインクジェットプリンタ。  
【請求項１２】
請求項１１に記載のプリンタにおいて、
前記ベントチャンバが、前記ベントポートに接続された一端と、覆われた反対端とを有する空気透過性ポリマーチューブからなる
ことを特徴とするプリンタ。
【請求項１３】
請求項１１に記載のプリンタにおいて、
前記ポリマーチューブが、前記ベントポートから略上方へ延在し、前記ベントチャンバの側壁を画定する
ことを特徴とするプリンタ。
【請求項１４】
請求項１１に記載のプリンタにおいて、
前記ベントポートが、前記フィルタチャンバにおいて未濾過のインクから気泡を除去するために位置付けられている
ことを特徴とするプリンタ。
【請求項１５】
請求項１１に記載のプリンタにおいて、
前記空気透過性ポリマーが、５〜５０Ｂａｒｒｅｒ（１６．７４〜１６７．４×１０−１９ｋｍｏｌ  ｍ／（ｍ２  ｓ  Ｐａ））の酸素透過性を有する
ことを特徴とするプリンタ。
【請求項１６】
請求項１１に記載のプリンタにおいて、
前記ベントチャンバが、拡散チューブを介して前記ベントポートに接続されている
ことを特徴とするプリンタ。
【請求項１７】
請求項１１に記載のプリンタにおいて、
前記ベントチャンバが、前記プリンタのアイドル期間中、正の静圧でインクを含む
ことを特徴とするプリンタ。
【請求項１８】
請求項１７に記載のプリンタにおいて、
前記空気透過性ポリマーが、所定の正の静圧で２０日以内の前記インクフィルタの再生を可能とする十分な透過性を有する
ことを特徴とするプリンタ。
【請求項１９】
請求項１１に記載のプリンタにおいて、
前記ベントチャンバの少なくとも一部が、前記所定のインクレベルより上に位置付けられている
ことを特徴とするプリンタ。
【請求項２０】
請求項１１に記載のプリンタにおいて、
前記ベントチャンバの少なくとも一部が、前記所定のインクレベルより下に位置付けられている
ことを特徴とするプリンタ。
【発明の詳細な説明】
【技術分野】
【０００１】
本発明は、インクジェットプリンタのインク送達システムで使用するためのインクフィルタに関する。本発明は、主として、気泡でブロックされたインクフィルタを再生するために開発された。
【背景技術】
【０００２】
スモールオフィス／ホームオフィス（「ＳＯＨＯ」）プリンタ、ラベルプリンタ、デジタルインクジェットプレス、及び大判プリンタを含む、Ｍｅｍｊｅｔ（登録商標）技術を採用したインクジェットプリンタは、複数の様々な印刷フォーマット用に市販されている。Ｍｅｍｊｅｔ（登録商標）プリンタは通常、使用者が交換可能な１つ又は複数の静止したインクジェット印刷ヘッドを備える。たとえば、デスクトッププリンタは、単体の使用者交換式多色又はモノクロ印刷ヘッドを備えてもよく、高速のデジタルプレスは、媒体供給方向に沿って一列に整列した複数の使用者交換式モノクロ印刷ヘッドを備えてもよく、大判プリンタは、大判ページ幅にわたるように、互い違いに重なった配列の複数の使用者交換式印刷ヘッドを備えてもよい。
【０００３】
インクはインク送達システムを介してインクジェット印刷ヘッドに供給され、インク送達システムは主として、所定の静圧で印刷ヘッドにインクを送達するために設計されている。インク送達システムは通常、インクから微粒子を濾過するためのインクフィルタも含む。インクフィルタは、入口及び出口を有するチャンバに収容された任意の適切なフィルタ材を備えてもよい。
【０００４】
気泡は、インクジェットプリンタの長年の問題である。インクジェットノズルに到達した気泡は、ノズルをブロックする可能性があり、破局的なデプライムイベントを引き起こす可能性がある。気泡は、フィルタ材の微小な孔をブロックすることによって、インク送達システムにおけるインクフィルタの有効性を低下させる可能性もある。
【０００５】
気泡に関連する問題は、閉じたインク送達システムにおいて脱ガスインクを使用することによってある程度は軽減することができる。しかしながら、脱ガスインクが採用されるときでさえ、このようなインク送達システムは気泡の問題の影響を受けないというわけではない。たとえば、印刷ヘッドを交換できるように印刷ヘッドを通して空気が吸い込まれるとき、印刷ヘッドデプライミング作動によってインク送達システムに意図的に空気を導入することがある。この導入された空気は、インク送達システムを循環し、インクフィルタに捕捉される可能性があり、それによって、インクフィルタの有効性が低下し、印刷品質に悪影響を与える。インクフィルタが気泡によって破局的にブロックされる場合、使用者によって、面倒であり時間も浪費する交換が必要となる。
【０００６】
先行技術に記載のいくつかのインク送達システムにおいて、インクフィルタは、フィルタ材を収容するフィルタチャンバから空気を除去する脱気ポンプに接続されている。脱気ポンプは、インクフィルタで捕捉された気泡を、気泡の連続的増加による長期的な問題を引き起こすことなく、大気中に逃がすことができることを保証する。しかしながら、脱気ポンプは、インク送達システムのコスト及び複雑さを増加させる。
【０００７】
したがって、脱気ポンプに頼ることなく気泡の除去が可能であるインクフィルタを提供することが望ましい。
【発明の概要】
【０００８】
第１の態様において、インク送達システムのためのインクフィルタが提供され、当該インクフィルタは、
フィルタ入口ポートと、フィルタ出口ポートと、ベントポートとを有するフィルタチャンバであって、ベントポートがフィルタチャンバの屋根に位置付けられている、フィルタチャンバと、
フィルタ入口ポートとフィルタ出口ポートとの間に位置付けられたフィルタ材と、
ベントポートに接続された閉じたベントチャンバと
を備え、
ベントチャンバは、空気透過性ポリマーからなる、大気に露出された少なくとも１つの壁を有する。
【０００９】
任意の空気がフィルタチャンバに入る場合、第１の態様によるインクフィルタは有利なことには、インクフィルタの受動的再生を可能にする。
【００１０】
好ましくは、ベントチャンバは、ベントポートに接続された一端と、覆われた反対端とを有する空気透過性ポリマーチューブからなる。
【００１１】
好ましくは、ポリマーチューブは、ベントポートから略上方へ延在し、ベントチャンバの側壁を画定する。
【００１２】
好ましくは、ベントポートは、フィルタチャンバにおいて未濾過のインクから気泡を除去するために位置付けられている。
【００１３】
好ましくは、空気透過性ポリマーは、５〜５０Ｂａｒｒｅｒ（１６．７４〜１６７．４×１０−１９ｋｍｏｌ  ｍ／（ｍ２  ｓ  Ｐａ））の酸素透過性を有する。
【００１４】
１つの実施形態において、ベントチャンバは、拡散チューブを介してベントポートに接続されている。拡散チューブは通常、空気不透過性の側壁と、１〜１０ｃｍの長さとを有する。
【００１５】
好ましくは、ベントチャンバは、インクフィルタを組み込むプリンタの寿命の大部分にわたって、正の静圧でインクを含む。
【００１６】
好ましくは、ベントチャンバは、インクフィルタを組み込むプリンタのアイドル期間中、正の静圧でインクを含む。
【００１７】
第２の態様において、
所定のインクレベルを有するインクを含むインクタンクと、
所定のインクレベルより下に位置付けられたインクフィルタと、
所定のインクレベルより上に位置付けられたインクジェット印刷ヘッドと
を備え、
インクフィルタが、
インクタンクからインクを受け取るためのフィルタ入口ポートと、印刷ヘッドにインクを送達するためのフィルタ出口ポートと、ベントポートとを有するフィルタチャンバであって、ベントポートがフィルタチャンバの屋根に位置付けられている、フィルタチャンバと、
フィルタ入口ポートとフィルタ出口ポートとの間に位置付けられたフィルタ材と、
ベントポートに接続された閉じたベントチャンバと
を備え、
ベントチャンバが、空気透過性ポリマーからなる、大気に露出された少なくとも１つの壁を有する、
インクジェットプリンタが提供される。
【００１８】
好ましくは、空気透過性ポリマーは、所定の正の静圧で２０日以内、より好ましくは１０日以内のインクフィルタの再生を可能とする十分な透過性を有する。
【００１９】
好ましくは、ベントチャンバの少なくとも一部は、所定のインクレベルより上に位置付けられている。
【００２０】
好ましくは、ベントチャンバの少なくとも一部は、所定のインクレベルより下に位置付けられている。
【００２１】
第１の態様に関連して記載された好ましい実施形態は、当然、第２の態様に等しく適用可能である。
【００２２】
本明細書で使用される場合、「インク」という用語は、インクジェット印刷ヘッドから印刷することができる任意の印刷流体を意味するものとする。インクは、着色剤を含んでもよく、又は含まなくてもよい。したがって、「インク」という用語は、従来のダイベース又は顔料ベースのインク、赤外線インク、媒染剤（たとえば、プレコート又はフィニッシャ）、３Ｄ印刷流体などを含んでもよい。
【００２３】
本明細書で使用される場合、「プリンタ」という用語は、従来のデスクトッププリンタ、ラベルプリンタ、複製装置、複写機、デジタルインクジェットプレスなどの、印刷媒体に印をつけるための任意の印刷装置を指す。１つの実施形態において、プリンタは枚葉給紙印刷装置である。
【図面の簡単な説明】
【００２４】
添付図面を参照して、本発明の実施形態が単なる例として以下に説明される。
【００２５】
【図１】図１は、第１の態様によるインクフィルタを組み込むプリンタインク送達システムを概略的に示す。
【図２】図２は、第１の態様によるインクフィルタの斜視図である。
【図３】図３は、図３に示されたフィルタの断面図である。
【発明を実施するための形態】
【００２６】
重力送りインク送達システム
重力送りインク送達システムは、第１の態様によるインクフィルタの１つの例示的な使用として以下で説明される。しかし、当然のことながら、第１の態様によるインクフィルタは、インクフィルタが大部分の時間、正の静圧でその中に含まれるインクを有する任意のインク送達システムでの使用に等しく適している。
【００２７】
図１を参照すると、印刷ヘッド４にインクを供給するためのインク送達システムを有するプリンタ１が概略的に示されている。インク送達システムは、米国特許出願公開第２０１１／０２７９５６６号明細書及び米国特許出願公開第２０１１／０２７９５６２号明細書に記載のシステムと同様の機能を有する重力送りシステムであり、これらの特許の内容は参照により本明細書に組み込まれる。
【００２８】
インク送達システムは、第１のインクライン１０を介して印刷ヘッド４の印刷ヘッド入口ポート８に接続されたインク出口ポート１０６を有する中間インクタンク１００を備える。中間インクタンク１００のインク戻りポート１０８は、インクフィルタ２００を組み込む第２のインクライン１６を介して印刷ヘッド４の印刷ヘッド出口ポート１４に接続されている。よって、中間インクタンク１００と、第１のインクライン１０と、印刷ヘッド４と、インクフィルタ２００を組み込む第２のインクライン１６とは、閉じた流体ループを画定する。通常、第１のインクライン１０及び第２のインクライン１６は、特定の長さの可撓性チューブで構成されている。
【００２９】
印刷ヘッド４は、印刷ヘッド入口ポート８と第１のインクライン１０とを解放可能に相互接続する第１の連結部３と、印刷ヘッド出口ポート１４と第２のインクライン１６とを解放可能に相互接続する第２の連結部５とを用いる使用者交換式である。印刷ヘッド４は通常、ページ幅印刷ヘッドであり、たとえば、米国特許出願公開第２０１１／０２７９５６６号明細書、又は、２０１６年５月２日に出願された「Ｍｏｎｏｃｈｒｏｍｅ  Ｉｎｋｊｅｔ  Ｐｒｉｎｔｈｅａｄ  Ｃｏｎｆｉｇｕｒｅｄ  ｆｏｒ  Ｈｉｇｈ−Ｓｐｅｅｄ  Ｐｒｉｎｔｉｎｇ」と題される米国特許出願第６２／３３０，７７６号明細書に記載の印刷ヘッドであってもよく、これらの特許の内容は参照により本明細書に組み込まれる。
【００３０】
中間インクタンク１００は、タンクの上部に位置付けられたエアベント１０９の形態のガスポートを介して大気に通じている。したがって、通常の印刷中に、インクは、負の静圧（「背圧」）で重力を受けて印刷ヘッド４に供給される。換言すれば、印刷ヘッド４の下に位置付けられた中間インクタンク１００からのインクの重力送りにより、所定の負の静圧で印刷ヘッドにインクを柔軟にするための圧力調整システムが形成されている。印刷ヘッド４のノズルプレート１９で受ける背圧の大きさは、中間インクタンク１００内のインクのレベル２０からのノズルプレートの高さｈによって決まる。
【００３１】
示される実施形態において、中間タンク１００は、インク入口ポート１１０と、インク出口ポート１０６と、戻りポート１０８とを有する下方チャンバ１２０を備える。下方チャンバ１２０は、上方チャンバの空気にさらされたインクから下方チャンバを保護し、同時に、圧力の重力制御をさらに可能にするタンク拡散チューブ１２４を介して上方チャンバ１２２に接続されている。タンク拡散チューブ１２４を組み込む中間タンク１００は、２０１７年２月２４日に出願された「Ｉｎｋ  ｔａｎｋ  ｆｏｒ  ｒｅｇｕｌａｔｉｎｇ  ｉｎｋ  ｐｒｅｓｓｕｒｅ」と題される、同時係属の米国仮特許出願第６２／４６３，３３０号明細書にさらに詳細に記載されており、この特許の内容は、参照により本明細書に組み込まれる。
【００３２】
インクは、インクカートリッジ２４に収容された折たたみ可能なインクバック２３を備える大容量インク貯蔵器から、中間インクタンク１００のインク入口ポート１１０に供給される。インクカートリッジ２４は、カートリッジベント２５を介して大気に通じており、インクがシステムによって消費されると、折たたみ可能なインクバック２３は折りたたむことができる。折たたみ可能なインクバック２３は通常、インク供給ライン２８を介してインク入口ポート１１０に供給される脱ガスインクを含む空気不透過性フォイルバッグである。インクカートリッジ２４は通常、使用者交換式であり、適切なインク供給連結部３２を介してインク供給ライン２８に接続されている。インク供給ライン２８は、中間タンク１００に到達する前に、インクを濾過するためのインラインインクフィルタ（図示せず）を備えてもよい。
【００３３】
制御システムは、中間インクタンク１００内のインクの略一定のレベル、したがって、一定の高さｈ及び対応する背圧を維持するために使用される。図１に示されるように、制御弁３０は、インク供給ライン２８に位置付けられて、カートリッジ２４から中間インクタンク１００へのインクの流れを制御する。制御弁３０は、中間インクタンク１００の上方チャンバ１２２の側壁に位置付けられた「高」センサ１０２及び「低」センサ１０４（たとえば、光センサ）からのフィードバックを受信する第１の制御装置１０７の制御下で作動する。インクのレベル２０が「低」センサ１０４を下回ったとき、第１の制御装置１０７は弁３０を開ける信号を送信し、インクのレベルが「高」センサ１０２に到達すると、制御装置は弁を閉じる信号を送信する。このように、中間インクタンク１００内のインクのレベル２０は、比較的一定に維持することができる。
【００３４】
中間インクタンク１００と、第１のインクライン１０と、印刷ヘッド４と、第２のインクライン１６とを組み込んだ、閉じた流体ループは、プライミング、デプライミング、及び他の必要な流体作動を容易にする。第２のインクライン１６は、インクに流体ループを循環させる可逆回転型ぜん動ポンプ４０を含む。単なる慣例として、第１のポンプ４０の「順」方向は、インク出口ポート１０６から戻りポート１０８への（すなわち、図１で示される時計方向の）インクのポンプ圧送に対応し、ポンプの「逆」方向は、戻りポート１０８からインク出口ポート１０６への（すなわち、図１に示される反時計方向の）インクのポンプ圧送に対応する。
【００３５】
ポンプ４０は、様々な流体作動を調整するために、ピンチ弁装置４２と協働する。ピンチ弁装置４２は、第１のピンチ弁４６と、第２のピンチ弁４８とを備え、たとえば、米国特許出願公開第２０１１／０２７９５６６号明細書、米国特許出願公開第２０１１／０２７９５６２号明細書、及び米国特許第９１８０６７６号明細書に記載のピンチ弁装置のいずれかの形態をとることができ、これらの特許の内容は参照により本明細書に組み込まれる。
【００３６】
第１のピンチ弁４６は、第１のインクライン１０から分岐した空気管５０を通る空気の流れを制御する。空気管５０は、大気に通じ、閉じた流体ループ用の吸気口として機能する空気フィルタ５２で終端している。
【００３７】
空気管５０により、第１のインクライン１０は、インク出口ポート１０６と空気管５０との間の第１の部分１０ａと、印刷ヘッド入口ポート８と空気管５０との間の第２の部分１０ｂとに分割されている。第２のピンチ弁４８は、第１のインクライン１０の第１の部分１０ａを通るインクの流れを制御する。
【００３８】
ポンプ４０、第１のピンチ弁４６、及び第２のピンチ弁４８は、様々な流体作動を調整する第２の制御装置４４によって制御される。前述から、図１に示されるインク送達システムが、多彩な流体作動を提供するのは当然のことである。表１は、プリンタ１で使用されるいくつかの例示的な流体作動に対する様々なピンチ弁及びポンプの状態を示している。当然ながら、これらの例示的な流体作動の様々な組合せを採用することができる。
2020526420.tif 000003
【００３９】
通常印刷（「印刷」モード）時、印刷ヘッド４は、負の背圧で重力を受けてインクを中間インクタンク１００から抽出する。このモードでは、ぜん動ポンプ４０は遮断弁として機能し、一方、第１のピンチ弁４６は閉じ、第２のピンチ弁４８は開いて、インク出口ポート１０６から印刷ヘッド４の第１のポート８へのインクの流れを可能にする。印刷時、インクは、第１の制御装置１０７の制御下で、中間インクタンク１００のインク入口ポート１１０に供給されて、比較的一定のインクレベル２０、及び結果的に、印刷ヘッド４のための比較的一定の背圧を維持する。
【００４０】
印刷ヘッドのプライミング又はフラッシング時（「プライム」モード）、インクは、閉じた流体ループを順方向（すなわち、図１に示される時計方向）に循環し、制御弁３０は閉じられている。このモードでは、ぜん動ポンプ４０は、ポンプ圧送順方向に駆動され、一方、第１のピンチ弁４６は閉じ、第２のピンチ弁４８は開いて、印刷ヘッド４を介したインク出口ポート１０６からインク戻りポート１０８へのインクの流れを可能にする。このようにプライミングを使用して、デプライミングされた印刷ヘッドをインクでプライミングする、印刷ヘッド４から気泡を一掃する、且つ／又は、インクから微粒子を濾過することができる。
【００４１】
「待機」モードでは、ポンプ４０は停止され、一方、第１のピンチ弁４６は閉じ、第２のピンチ弁４８は開く。「待機」モードは、中間タンク１００のインクレベル２０より下に位置付けられたインクフィルタ２００の正の静インク圧、及び、インクレベルより上に位置付けられた印刷ヘッド４の負の静インク圧を維持する。印刷ヘッド４の負のインク圧は、インクがノズルプレート１９に溢れるのを防ぎ、並びに、プリンタがアイドル状態のときに、色の混合を最小限にする。一方、インクフィルタ２００の正のインク圧は、以下でさらに詳細に説明される気泡除去を支援する。通常、印刷ヘッドは、待機モードにおいて、ノズルからのインクの蒸発を最小限にするために蓋をされる（たとえば、米国特許出願公開第２０１１／０２７９５１９号明細書を参照のこと。この特許の内容は参照により本明細書に組み込まれる）。
【００４２】
印刷ヘッド４の各ノズルがインクで十分にプライミングされるのを保証し、且つ／又は、詰まった任意のノズルから障害物を取り除くために、「パルス」モードを使用することができる。「パルス」モードでは、第１のピンチ弁４６及び第２のピンチ弁４８は閉じられ、ポンプ４０は、逆方向（すなわち、図１に示される反時計方向）に駆動されて、インクを印刷ヘッド４のノズルプレート１９のノズルに強制的に通す。制御弁３０は、パルスプライミングの間、閉じられ、中間インクタンク１００は、パルスプライミングのために必要なインクの貯蔵器を提供する。
【００４３】
使用済みの印刷ヘッド４を交換するために、プリンタから印刷ヘッドを取り外すことができるようにするには、その前に印刷ヘッドをデプライミングする必要がある。「デプライム」モードでは、第１のピンチ弁４６は開き、第２のピンチ弁４８は閉じ、第１のポンプ４０は順方向に駆動されて、空気管５０を介して大気から空気を吸い込む。印刷ヘッド４をデプライミングした後、プリンタは、印刷ヘッドをインク供給源から切り離す「無効」モードにセットされ、それにより、インクこぼれを最小限にして、印刷ヘッドを安全に取り外すことができるようになる。
【００４４】
インクフィルタ
前述から、複数の流体作動が、図１に関連して上で説明されたインク送達システムを使用して実行されてもよいことが理解されるであろう。しかしながら、脱ガスインクを採用するインク送達システムでは、印刷ヘッドのデプライミング時、システムに空気を導入することは好ましくないことがさらに理解されるであろう。溶存空気は、インク送達システムを循環し、印刷によって除去されてもよい。しかしながら、非溶解気泡は、微粒子と同様にふるまい、通常、インクフィルタ２００によって捕捉される。
【００４５】
図１〜３を参照すると、インラインインクフィルタ２００は、その屋根２０３にフィルタ入口ポート２０２を有するフィルタチャンバ２０１と、その基部２０５のフィルタ出口ポート２０４と、フィルタ入口と出口ポートとの間に位置付けられたフィルタ材２０６とを備える。フィルタ材２０６は通常、濾過面を最大化するためにフィルタ出口ポート２０４のまわりに位置付けられた折りたたみ式の側壁を有する円筒として構成されるが、フィルタ材の任意の適切な構成を採用してもよいことが理解されるであろう。インクフィルタ２００は、主として、微粒子が印刷ヘッド４に到達する前に、インクから微粒子を濾過するために機能するが、インクから任意の非溶解気泡を濾過するためにも働く。たとえば、デプライミング作動後、非溶解気泡は、微粒子と同様にふるまい、フィルタ材２０６によってすぐに捕捉される。他方で、溶存空気を含有するインクは、フィルタ材２０６を通過し、印刷を介してインク送達システムから排出することができる。中間タンク１００を介してインクカートリッジ２４からインク送達システムに入る新鮮な脱ガスインクは、最終的にシステムのすべての残りの空気にさらされたインクを移動させる。
【００４６】
インクフィルタ２００は好ましくは、インク送達システムの交換可能ではない（又は少なくともまれに交換可能である）構成要素であり、フィルタ材２０６を通過しない非溶解気泡は、インクフィルタの寿命を制限する観点から、潜在的な問題である。これらの気泡は、フィルタ材２０６の上流で未濾過のインクに捕捉され、フィルタ材の孔をブロックすることによってインクフィルタ２００の有効性を低下させることがある。インクフィルタ２００があまりに多くの気泡でブロックされる場合、交換又は点検する必要がある。
【００４７】
上記のように、脱気ポンプは、インクフィルタから空気を除去するために、いくつかの先行技術のインク送達システムで採用された。しかしながら、脱気ポンプは、インク送達システムのコスト及び複雑さに増加させる。図１に示されたインクフィルタ２００において、フィルタチャンバ２０１の屋根２０３に画定されたベントポート２０８は、その形態で閉じたベントチャンバに接続される、屋根２０３から上方に延在する、ある長さの空気透過性チューブ２１０。空気透過性チューブ２１０は、一端２１１が覆われ、所定の正のインク圧で空気が壁を通って外部に拡散できるのに十分な透過性を有する空気透過性壁を有する。よって、アイドル期間中、気泡は、空気透過性チューブから拡散してもよく、それによって、専用の脱気ポンプを必要とすることなく、インクフィルタを受動的に維持する。効果的に作動するために、空気透過性チューブ２１０の少なくとも一部は、空気透過性チューブ２１０のインクが、大部分の時間（たとえば、アイドル期間中）、大気への空気の拡散を可能にする正のインク圧であるように、中間インクタンク１００のインクレベル２０より下に位置付けなければならない。
【００４８】
効果的な空気除去のために、空気透過性チューブ２１０は通常、１００Ｂａｒｒｅｒ（３３４．８×１０−１９ｋｍｏｌ  ｍ／（ｍ２  ｓ  Ｐａ））未満、又は、好ましくは、５〜５０Ｂａｒｒｅｒ（１６．７４〜１６７．４×１０−１９ｋｍｏｌ  ｍ／（ｍ２  ｓ  Ｐａ））の酸素透過性を有する。ポリマーチューブは、１〜２ｍｍの壁厚と、２〜５ｍｍの内径とを有することができる。適切な空気透過性チューブの１つの種類は、Ｓａｉｎｔ−Ｇｏｂａｉｎ  Ｐｅｒｆｏｒｍａｎｃｅ  Ｐｌａｓｔｉｃｓから市販されている熱可塑性エラストマーである、Ｔｙｇｏｐｒｅｎｅ（登録商標）  ＸＬ−６０である。しかしながら、他の空気透過性材料が等しく適していることが理解されるであろう。
【００４９】
空気透過性チューブ２１０は、ベントポート２０８に直接接続されてもよい、又は、図１に示されるように、ベント拡散チューブ２１２を介してベントポート２０８に接続されてもよい。ベント拡散チューブ２１２は、拡散によって偶発的にシステムに入ることがある、空気透過性チューブ２１０の空気にさらされたインクから、インク送達システムを保護する。よって、インクフィルタ２００の気泡は、気泡がチューブの壁を通る拡散によって除去される空気透過性チューブに浮上させることができる。しかしながら、空気透過性チューブ２１０の空気にさらされたインクは、ベント拡散チューブ２１２によるＦｉｃｋｉａｎ拡散機構（少なくとも適切な時間尺度ではない）によって、インク送達システムに再び入ることはできない。ベント拡散チューブ２１２は、タンク拡散チューブ１２４と同様に機能し、したがって、同様の要件を有する。ベント拡散チューブ２１２は通常、剛性の空気不透過性プラスチックから形成され、通常、１〜１０ｃｍの長さを有する。たとえば、４ｃｍの長さを有するベント拡散チューブ２１０は、大部分のインクのための２０日以上の拡散時間尺度に対応する。ベント拡散チューブ２１２は、気泡によって引き起こされる詰まりを回避するために、気泡に対して耐性のある内部断面（たとえば、星型）を有してもよい。
【００５０】
インクフィルタ２００は、第２のインクライン１６のインラインフィルタとして説明されたが、任意の適切なインクラインで使用されてもよいことが理解されるであろう。たとえば、インクカートリッジの交換中、空気の進入の影響を受けやすいインク供給ライン２８、又は、第１のインクライン１０にインラインインクフィルタが位置付けられてもよい。インク送達システムが、大部分の時間、インクフィルタ２００に正のインク圧を提供するように構成される場合、インクフィルタは、空気透過性チューブ２１０を介したフィルタチャンバ２０１からの気泡の除去による受動再生エアフィルタとして機能する。
【００５１】
もちろん、本発明が、単なる例として説明され、添付の特許請求の範囲で規定された本発明の範囲内で、細部の修正を行うことができるのは当然のことである。
【図１】
2020526420.tif 000004
【図２】
2020526420.tif 000005
【図３】
2020526420.tif 000006
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
インク送達システムのためのインクフィルタにおいて、
フィルタ入口ポートと、フィルタ出口ポートと、ベントポートとを有するフィルタチャンバであって、前記ベントポートが前記フィルタチャンバの屋根に位置付けられている、フィルタチャンバと、
前記フィルタ入口ポートと前記フィルタ出口ポートとの間に位置付けられたフィルタ材と、
前記ベントポートに接続された閉じたベントチャンバと
を備え、
前記ベントチャンバが、前記ベントポートに接続された一端と、覆われた反対端と、大気に露出された少なくとも１つの壁とを有する空気透過性ポリマーチューブからなる
ことを特徴とするインクフィルタ。
【請求項２】
請求項１に記載のインクフィルタにおいて、
前記ポリマーチューブが、前記ベントポートから略上方へ延在し、前記ベントチャンバの側壁を画定する
ことを特徴とするインクフィルタ。
【請求項３】
請求項１又は２に記載のインクフィルタにおいて、
前記ベントポートが、前記フィルタチャンバにおいて未濾過のインクから気泡を除去するために位置付けられている
ことを特徴とするインクフィルタ。
【請求項４】
請求項１乃至３の何れか一項に記載のインクフィルタにおいて、
前記空気透過性ポリマーが、５〜５０Ｂａｒｒｅｒ（１６．７４〜１６７．４×１０−１９ｋｍｏｌ  ｍ／（ｍ２  ｓ  Ｐａ））の酸素透過性を有する
ことを特徴とするインクフィルタ。
【請求項５】
請求項１乃至４の何れか一項に記載のインクフィルタにおいて、
前記ベントチャンバが、拡散チューブを介して前記ベントポートに接続されている
ことを特徴とするインクフィルタ。
【請求項６】
請求項５に記載のインクフィルタにおいて、
前記拡散チューブが空気不透過性の側壁を有する
ことを特徴とするインクフィルタ。
【請求項７】
請求項６に記載のインクフィルタにおいて、
前記拡散チューブが１〜１０ｃｍの長さを有する
ことを特徴とするインクフィルタ。
【請求項８】
インクジェットプリンタにおいて、
所定のインクレベルを有するインクを含むインクタンクと、
前記所定のインクレベルより下に位置付けられた請求項１乃至７の何れか一項に記載のインクフィルタと、
前記所定のインクレベルより上に位置付けられたインクジェット印刷ヘッドと
を備える
ことを特徴とするインクジェットプリンタ。
【請求項９】
請求項８に記載のプリンタにおいて、
前記ベントチャンバが、前記プリンタのアイドル期間中、正の静圧でインクを含む
ことを特徴とするプリンタ。
【請求項１０】
請求項８又は９に記載のプリンタにおいて、
前記ベントチャンバの少なくとも一部が、前記所定のインクレベルより上に位置付けられている
ことを特徴とするプリンタ。
【請求項１１】
請求項８乃至１０の何れか一項に記載のプリンタにおいて、
前記ベントチャンバの少なくとも一部が、前記所定のインクレベルより下に位置付けられている
ことを特徴とするプリンタ。
【国際調査報告】
2020526420.tif 000007
2020526420.tif 000008
2020526420.tif 000009